(57)【要約】【課題】様々なかごサイズに対して、光むらのない照明を可能とし、また、定期的な清掃作業やランプ交換作業などをを削減してエレベータ利用者に不具合のないエレベータの照明装置を提供する。【解決手段】冷陰極蛍光ランプ３２、安定器３３、照明板（透過部）３４が一体化された照明ユニット２１をかご室内に設置し、この照明ユニット２１の照明板３４を除いて箱体２２で覆う。これにより、どのようなサイズのかご室にも、同じ種類の照明ユニット２１をその設置個数を変えるだけで適用でき、光むらのない照明を実現できる。また、照明ユニット２１が密封構造であるため、虫や埃などの侵入がなく、定期的な清掃作業が不要となる。さらに、冷陰極蛍光ランプ３２の使用することで長寿命化を図ることができ、交換作業を伴う保守回数を削減できる。【選択図】　　図３
2004115209.tif 000002
【特許請求の範囲】
【請求項１】
利用者が乗降可能なかご室と、
複数の冷陰極蛍光ランプと、上記各冷陰極蛍光ランプを点灯する安定器と、上記各冷陰極蛍光ランプの照明光を透過する透過部とを有し、これらがほぼ一体となって上記かご室内に設けられる照明ユニットと、
上記照明ユニットを覆ったときに上記透過部を露出させるための開口部を有するカバー部材と
を具備したことを特徴とするエレベータの照明装置。
【請求項２】
上記照明ユニットは、上記かご室の天井面もしくは上記カバー部材に取り付けられることを特徴とする請求項１記載のエレベータの照明装置。
【発明の詳細な説明】
【０００１】
【発明の属する技術分野】
本発明は、エレベータの天井照明などに用いられる照明装置に関する。
【０００２】
【従来の技術】
図８を用いて従来のエレベータの照明装置の構成について説明する。
【０００３】
図８は従来のエレベータの照明装置が設置されたかご室の正面図である。エレベータのかご室１は、かご床２と、正面扉３と、幅木５と、側板６と、幕板７と、天板８とを有する。
【０００４】
このかご室１の天板８に、エレベータの天井照明として用いられる従来の照明装置１０が設置されている。この照明装置１０は、家庭などで一般的に使われている熱陰極蛍光ランプ１１と、熱陰極蛍光ランプ１１の照明光を透過する光透過性の照明板１２と、熱陰極蛍光ランプ１１を覆う箱体１３とを有する。熱陰極蛍光ランプ１１が点灯すると、その光が照明板１２を介してかご室１内を照らす。
照明板１２は、例えばアクリルなどの合成樹脂で形成されている。この照明板１２を介して熱陰極蛍光ランプ１１の照明光をかご室１内に照射することで、適度な照度を得ることができる。
【０００５】
ところで、エレベータでは、かご室内の照度を適切にするために、１基に４灯〜１０灯の熱陰極蛍光ランプ１１が天井面に設置されると共に、これらの熱陰極蛍光ランプ１１に対応させて照明板１２が設置される。箱体１３は、これらの熱陰極蛍光ランプ１１を保護するための箱状のカバー部材であり、天板８に固定される。この箱体１３の開口部１３ａに光透過性の照明板１２が取り付けられる。
従来、この照明板１２を止め具１４によって箱体１３に固定するようにしていたが、その接合部から埃や虫などが入り混むことが多く、定期的に清掃を行う必要があった。
【０００６】
また、照明装置１０に使われている熱陰極蛍光ランプ１１のバルブの径は３４ｍｍ程度で、かなり大きな寸法を有すると共に、２０Ｗ〜４０Ｗの高光出力のものが使われる。従来、このような熱陰極蛍光ランプ１１は互いにある程度間隔を広くとって配置していたため、照明板１２に光むらが生じ、意匠性を損なうといった問題があった。
【０００７】
この場合、熱陰極蛍光ランプ１１と照明板１２との間隔を広くとれば、光むらを抑えることができるが、照明装置１０としての厚みが増し、かご室を圧迫してしまうなどの問題が生じる。また、照明板１２を一様に照光できるように、かごサイズに合わせて特殊な蛍光ランプを製造することが考えられるが、かごサイズは様々であるため、これらのかごサイズに合わせて、このような特殊な蛍光ランプを製造することは困難であり、コスト的にも合わない。
【０００８】
さらに、熱陰極蛍光ランプ１１は、照明装置１０のオン・オフを繰り返すたびに寿命が短くなる特性を有していた。この理由は、蛍光ランプ始動時には過大電流が必要であり、この過電流によって陰極が損傷するからである。このため、蛍光ランプが切れたり、点滅し始めたりして交換が必要となってくるのである。そして、交換が必要となった場合には、保守員が当該エレベータに赴き、所定時間保守作業のためにエレベータを停止させ、エレベータのかご室の天井の外から交換していた。ちなみに、この蛍光ランプの寿命は、約６０００時間である。このような保守作業時には、エレベータ全体を必ず停止させなければならず、エレベータ利用者にとってはその間使用ができず、大変不便であった。また、安全上の観点から保守作業は保守員が行わなければならず、蛍光ランプを交換するだけであっても多大な時間と労力とを使っていた。
【０００９】
また、この種の熱陰極蛍光ランプではスタータを使用しているため、電圧印可とランプ点灯との間にタイムラグが生じていた。このため、エレベータが呼びを受けた階床に移動した後、このタイムラグをなくすために、暫く時間を置いて正面扉を開くなどの制御が必要であった。
【００１０】
【発明が解決しようとする課題】
上述したように、かご室の天井面に複数の熱陰極蛍光ランプを設置し、これらの箱体と照明板で覆うような従来の照明装置では、箱体と照明板との接合部から埃や虫が入り込み易く、定期的な清掃が必要であった。
【００１１】
また、熱陰極蛍光ランプの特性上、かごサイズに合わせて照明板に光むらが生じないように調整することが難しく、さらに、ランプ寿命が短く、その交換作業に伴う保守費用が高額になるなどの問題があった。
【００１２】
本発明は上記のような点に鑑みなされたもので、様々なかごサイズに対して、光むらのない照明を可能とし、また、定期的な清掃作業やランプ交換作業などをを削減してエレベータ利用者に対し不具合のないエレベータの照明装置を提供することを目的とする。
【００１３】
【課題を解決するための手段】
本発明のエレベータの照明装置は、利用者が乗降可能なかご室と、複数の冷陰極蛍光ランプと、上記各冷陰極蛍光ランプを点灯する安定器と、上記各冷陰極蛍光ランプの照明光を透過する透過部とを有し、これらがほぼ一体となって上記かご室内に設けられる照明ユニットと、上記照明ユニットを覆ったときに上記透過部を露出させるための開口部を有するカバー部材とを具備して構成される。
【００１４】
また、上記照明ユニットは、上記かご室の天井面もしくは上記カバー部材に取り付けられる。
【００１５】
このような構成の照明装置によれば、冷陰極蛍光ランプ、安定器、透過部（照明板）がユニット化されているので、どのようなサイズのかご室にも、同じ種類の照明ユニットをその設置個数を変えるだけで適用できる。この場合、各照明ユニット毎に蛍光ランプと透過部（照明板）との間隔が一定であるため、光むらが生じることなく、かご室内を照らすことができる。
【００１６】
また、この照明ユニットは、透過部（照明板）の一体化により密封構造になっているので、その内部に埃や虫が入り込むことがなく、定期的な清掃作業を削減できる。さらに、冷陰極蛍光ランプを使用しているので、一般の蛍光ランプに比べて寿命が長く、交換作業を削減できる。
【００１７】
【発明の実施の形態】
以下、図面を参照して本発明の実施形態を説明する。
【００１８】
図１は本発明の一実施形態に係るエレベータの照明装置が設置されたかご室の正面斜視図、図２は上記照明装置の箱体を取り外した状態を示す斜視図、図３は上記照明装置が設置されたかご室の正面図である。なお、かご室の構成については、図８と同じ符号を付して説明する。
【００１９】
エレベータのかご室１は、かご床２と、正面扉３と、幅木５と、側板６と、幕板７と、天板８とを有する。幅木５は、下面をかご床２に上面を側板６に固定される。側板６は、かご床２を囲むように四方に立設されて天板８に固定されると共に、隣接する側板６と固定される。幕板７は、その上面を天板８に側面を側板６に固定されている。正面扉３は、乗客がかご室１に出入りするためのドアであって、幕板７と側板６と幅木５とかご床２とで周囲が覆われており、所定方向に開閉可能である。
【００２０】
このかご室１の天板８に、本発明の照明装置２０が設置されている。照明装置２０は、複数（ここでは９つ）の照明ユニット２１と、これらの照明ユニット２１を覆う箱体２２とを有する。
【００２１】
照明ユニット２１は、複数（ここでは５本）の直管型冷陰極蛍光ランプ３２と、これらの冷陰極蛍光ランプ３２を点灯する安定器（インバータ）３３と、冷陰極蛍光ランプ３２の照明光を透過する照明板３４（透過部）とを有する。この照明ユニット２１は、図２に示すように、照明板３４をかご床２側に向けた状態でかご室１の天板８に固定される。箱体２２は、照明ユニット２１を保護するための箱状のカバー部材であって、箱体２２を照明ユニット２１に被せたときに、その照明ユニット２１の照明板３４をかご床２側に露出させるための開口部２２ａを有する。なお、照明板３４は、光透過性・耐熱性を有する例えばアクリル等の合成樹脂で形成される。箱体２２は、側板６や天板８などと同じ材質であり、例えば金属である。
【００２２】
ここで、本発明の照明装置２０に用いられる照明ユニット２１の構成について図４および図５を用いて更に詳しく説明する。
【００２３】
図４は照明ユニット２１の平面図であり、照明板３４を取り外した状態を示している。図５は照明ユニット２１の側面図である。
【００２４】
図４および図５に示すように、照明ユニット２１は、箱状の固定体３１によって覆われており、その中に直管型の冷陰極蛍光ランプ３２、安定器３３、照明板３４が一体的に配置されている。また、図５に示すように、この固定体３１の開口部３１ａに照明板３４が配置されている。
【００２５】
冷陰極蛍光ランプ３２は、１ｍｍ〜６ｍｍ程度の直径を有する透光性放電容器と、この放電容器の両端に封止された一対の冷陰極（不図示）と、放電容器の内面に塗布された蛍光体（不図示）と、放電容器内に封入された放電媒体（不図示）とを少なくとも有している。冷陰極蛍光ランプ３２は、陰極が加熱されることなく発光するため、照明のオン・オフの回数によって寿命が左右されることがなく、単に発光時間に起因するといった特性を有している。また、冷陰極蛍光ランプ３２は、高電圧を印可すると即点灯し、発光までの時間的遅れがないことも特徴である。
【００２６】
また、固定体３１の内側底面は、冷陰極蛍光ランプ３２の照明光を照明板３４に向けて反射する反射板３１ｂになっている。本実施形態では、この反射板３１ｂに一対の支持部材３６ａ，３６ｂが立設され、そこに５本の陰極蛍光ランプ３２が並行に固定されている。このとき、各冷陰極蛍光ランプ３２は互いに所定距離離間し、かつ反射板３１ｂからも所定距離離間するように配置される。
【００２７】
また、安定器３３の一端側には、各冷陰極蛍光ランプ３２の一端が電線３５ａを介して電気的に接続され、安定器３３の他端側には、各冷陰極蛍光ランプ３２の他端側が電線３５ｂを介して電気的に接続されている。さらに、安定器２には、図５に示すように、外部から電力の供給を受けるためのケーブル３７が接続される。
【００２８】
このような構成において、図２に示すように、かご床２の天板８に、複数の照明ユニット２１が例えばマトリックス状に設置される。これらの照明ユニット２１は、例えばネジ止めにて天板８に固定される。これらの照明ユニット２１はすべて同じ構成であり、図４および図５で示したように、複数の冷陰極蛍光ランプ３２、安定器３３、照明板３４が一体化されている。そして、これらの照明ユニット２１の照明板３４を除いて箱体２２が下側から被せられる。このとき、箱体２２には、各照明ユニット２１のサイズや配置に合わせて開口部２２ａが形成されているので、各照明ユニット２１の照明板３４のみが開口部２２ａからかご室１側に露出した状態となる。この状態が図１である。
【００２９】
ここで、図示せぬエレベータの制御盤などから各照明ユニット２１内の安定器３３に電力が供給されると、この安定器３３にて所望値となるように電圧電流などが変換される。変換された電圧が各冷陰極蛍光ランプ３２に印加されることによって、所定の波長を有する光が照射される。照射された光の一部は、照明板３４に直接入射され、また光の一部は、反射板３１ｂに照射された後、照明板３４に入射される。そして、照明板３４を介してかご室１内に光を透過させてかご室１内を明るく照らす。このときの照度は、照明ユニット２１の設置個数によって決まる。
【００３０】
また、図６に示すように、サイズの異なる他のかご室４１に対しても、照度上適正な数の照明ユニット２１を天井面に設置することで対応できる。図６の例では、６つの照明ユニット２１をマトリックス状に設置した場合が示されている。
この場合、箱体２２はかごサイズや照明ユニット２１の数、配置などに応じて変更する必要があるが、各照明ユニット２１については同じ種類のものを設置個数を変えるだけで全てのかご室に共通に使用可能である。また、それぞれの照明ユニット２１では、均一の照度分布が得られるように、冷陰極蛍光ランプ３２と照明板３４との間隔が調整されているため、多数の照明ユニット２１を配置しても光むらが生じることはない。
【００３１】
また、照明ユニット２１は、照明板３４の一体化により密封構造になっているので、その内部に埃や虫が入り込むことがない。よって、定期的な清掃を必要とせず、かご室内の清潔性を保つことができると共に、埃や虫の付着による照度低下を防ぐことができる。
【００３２】
また、箱体２２で照明ユニット２１全体を覆っているので、例えばかご内から傘等を用いて突き上げのいたずらをされても、照明ユニット２１が落下することはない。
【００３３】
さらに、この照明ユニット２１では、冷陰極蛍光ランプ３２を用いているので、照明装置２０として寿命を飛躍的に延ばすことができる。これにより、保守員による照明装置の交換などの保守作業が低減でき、もってエレベータ利用者への不具合を抑制することができる。これは、冷陰極蛍光ランプが、従来の熱陰極蛍光ランプのように電流により高温になるような陰極を有していないためであり、このような構成により陰極の断線等の問題が生じないためである。
【００３４】
また、熱陰極蛍光ランプが約６０００時間の寿命を有することに対して、この冷陰極蛍光ランプ１は約５００００時間の寿命を有し、その寿命の長さは熱陰極蛍光ランプの約１０倍である。さらに、冷陰極蛍光ランプの寿命は、照明のオン・オフの回数に依存しておらず、この点も長寿命を達成できる一因である。これに対し、熱陰極蛍光ランプは、照明のオン・オフの回数によって寿命が短くなる特性をもっているため、約６０００時間の寿命を持っていたとしてもオン・オフの回数が多くなるとさらに寿命が短くなる。
【００３５】
また、冷陰極蛍光ランプを常時点灯していた場合、５００００時間／２４時間／３６５日＝５．７年もの寿命が得られる。また、エレベータの照明装置の点灯消灯動作によっては、例えば常時照明装置を点灯させないようにした場合（利用時のみ点灯）には、更に長寿命となる。
【００３６】
また、照明装置が長寿命となることで、エレベータの照明装置に関する保守点検作業が低減できるため、場合によっては保守費用を低減できる可能性もある。
【００３７】
さらに、冷陰極蛍光ランプ３２を小径化することができるため、意匠性および設置条件の緩和に寄与している。これは、従来の熱陰極蛍光ランプが約３４ｍｍの直径を有していることに対し、本発明は約１〜６ｍｍと非常に小さく、約１／６の大きさのためである。また、小型であることから、所望の照度を得るために、本数、互いの離間距離を適宜設定することができる。
【００３８】
また、箱体２２の高さを低くでき、冷陰極蛍光ランプ３２と照明板３４との間隔を狭めることができる。したがって、エレベータのかご室内の照明装置全体を小型化、かつ薄くできる。
【００３９】
また、冷陰極蛍光ランプ３２の設置条件（距離等）を適宜設定できることから、照明装置として常に問題となる光むらをより抑制することができ、もってエレベータ利用者に対して、より違和感のない照明を提供できる。
【００４０】
さらに、１つの照明ユニット２１の中に複数の冷陰極蛍光ランプ３２を配置しておくことで、例えばそのうちの１つが非発光の状態になったとしても、他の冷陰極蛍光ランプ３２の発光によって、利用者が非発光のランプを意識することが困難になる。したがって、交換すべき冷陰極蛍光ランプ３２の交換時期を遅らせることができる場合もある。
【００４１】
さらに、１本の冷陰極蛍光ランプ３２の端子を安定器３３と接続するには、半田付けなどを手作業で行う必要があるが、ユニット化したことで、ユニット毎に交換でき、このため作業時間を低減し、また交換作業時の安全性を向上させることができる。
【００４２】
さらに、呼びの行われた階床にかご室が着床した後、すばやく扉を開放することができる。これは、冷陰極蛍光ランプ３２に電圧が印加され発光されるまでの時間が、熱陰極蛍光ランプに比べ非常に短いためである。
【００４３】
なお、上記実施形態では、複数の照明ユニット２１をかご室１の天板８に固定するものとしたが、図７に示すように、箱体２２上に複数の照明ユニット２１を取り付けるようにしても良い。この場合、各照明ユニット２１は、箱体２２の開口部２２ａから照明板３４を露出させるように載置され、ネジ止め等により固定される。そして、この照明ユニット付きの箱体２２をかご室天井面に固定する。
交換時には、箱体毎交換することになる。
【００４４】
また、本発明は上記実施の形態には限定されず、種々変形して実施できることは言うまでもない。例えば、冷陰極蛍光ランプの本数は、所望の照度を得ることが出来れば何本であっても構わない。また、複数の冷陰極蛍光ランプは、互いにどのような距離離間して配置されても、反射板とどのような距離離間して配置されても構わない。
【００４５】
また、展望用のエレベータかご室の外装照明に適用しても同様の効果を得ることができる。
【００４６】
【発明の効果】
以上詳記したように本発明によれば、どのようなサイズのかご室に対しても、同じ種類の照明ユニットをその設置個数を変えるだけで適用でき、光むらのない照明を実現できる。
【００４７】
また、照明ユニットを照明板の一体化により密封構造としているので、埃や虫の侵入を防止することができ、定期的な清掃作業を削減できる。
【００４８】
また、冷陰極蛍光ランプを使用することで長寿命化を図ることができる。これにより、ランプ交換作業に伴う保守費用を削減できると共に、保守回数を減らして、エレベータ利用者に対して不具合のないエレベータを提供できる。
【図面の簡単な説明】
【図１】本発明の一実施形態に係るエレベータの照明装置が設置されたかご室の正面斜視図。
【図２】上記照明装置の箱体を取り外した状態を示す斜視図。
【図３】上記照明装置が設置されたかご室の正面図。
【図４】上記照明装置に用いられる照明ユニットの平面図。
【図５】上記照明装置に用いられる照明ユニットの側面図。
【図６】上記照明装置をサイズの異なる他のかご室に対して設置した場合を示すかご室の正面斜視図。
【図７】本発明の他の実施形態として、箱体上に複数の照明ユニットを取り付けた場合の構成を示す斜視図。
【図８】従来のエレベータの照明装置の構成を示す図。
【符号の説明】
１…かご室
２…かご床
８…天板
２０…照明装置
２１…照明ユニット
２２…箱体
２２ａ…開口部
３１…固定体
３１ａ…開口部
３１ｂ…反射板
３２…冷陰極蛍光ランプ
３３…安定器
３４…照明板
３５ａ，３５ｂ…電線
３６ａ，３６ｂ…支持部材
【図１】
2004115209.tif 000003
【図２】
2004115209.tif 000004
【図３】
2004115209.tif 000005
【図４】
2004115209.tif 000006
【図５】
2004115209.tif 000007
【図６】
2004115209.tif 000008
【図７】
2004115209.tif 000009
【図８】
2004115209.tif 000010